(57)【要約】【課題】上下両外壁パネル間に形成される間隙部を防水シートにて閉塞するに際して、簡単に防水構造を確保でき、さらに防水シートを安定的に支持することによって防水効果を長期にわたり維持する。【解決手段】上階外壁パネル１２の背面部には防水シート２１が予め取り付け、この防水シート２１を下階外壁パネル１１の表面側に垂下させる。これにより、防水シート２１によって間隙部１７を閉塞する。また、防水シート２１の屋内側にはバックアップ金物５１を配置する。バックアップ金物５１はその基部５２が下階外壁パネル１１の上面に配置固定されており、その基部５２の屋外側からは前記防水シート２１を屋内側から支持する間隙閉塞部５３を上方へ延設する。これにより、防水シート２１の屋内側への撓み等の移動を抑制することができ、防水シート２１が安定する。また、これにより防水シート２１の下端部を必ずしも接着しなくて済む。【選択図】図１
2007205086.tif 000002
【特許請求の範囲】
【請求項１】
建物の外壁を構成する上側外壁パネルとその上側外壁パネルの下方に配設される下側外壁パネルとの間に形成される間隙部を閉塞する壁間防水構造であって、
前記間隙部を閉塞する防水シートと、前記間隙部において防水シートを屋内側から支持して当該防水シートの屋内側への移動を抑制する支持手段とを備えたことを特徴とする壁間防水構造。
【請求項２】
前記支持手段は前記間隙部を閉塞する間隙閉塞部を備え、当該間隙閉塞部によって前記防水シートを支持する請求項１記載の壁間防水構造。
【請求項３】
前記支持手段は前記下側外壁パネルの上面に固定される基部を備え、前記間隙閉塞部を当該基部の屋外側から上方へ延設した請求項２記載の壁間防水構造。
【請求項４】
前記下側外壁パネルの上面と前記基部の下面との間をシールした請求項３記載の壁間防水構造。
【請求項５】
前記間隙閉塞部を下方ほど屋外側となる下り傾斜に形成した請求項２乃至４のいずれかに記載の壁間防水構造。
【請求項６】
前記上下両外壁パネルは外壁板とその背面側に取り付けられたフレームとを備え、前記防水シートを上側外壁パネルの外壁板とフレームとの間に取り付け、前記防水シートを、その取り付け部位から前記間隙閉塞部の表面に沿って延び、さらに下側外壁パネルの外壁板の表面側に下端部が位置するよう配置した請求項２乃至５のいずれかに記載の壁間防水構造。
【請求項７】
前記間隙閉塞部の上端部を上側外壁パネルのフレームに当接させた請求項６記載の間隙防水装置。
【請求項８】
前記防水シートの下部を下側外壁パネルの表面側に配置し、前記防水シート下部の幅方向全域を前記下側外壁パネルの表面側へ押圧することにより、当該下側外壁パネルとともに前記防水シート下部の幅方向全域を挟持する押圧手段を備えた請求項１乃至７のいずれかに記載の壁間防水構造。
【請求項９】
前記押圧手段は前記間隙部を屋外側から閉塞する化粧カバーである請求項８記載の壁間防水構造。
【請求項１０】
前記化粧カバーの下端部を下側外壁パネルまで延ばして前記防水シート下部を押圧する押圧部を形成し、当該押圧部によって前記押圧手段を形成した請求項９記載の壁間防水構造。
【請求項１１】
前記押圧部と防水シート下部との間に、防水シート下部の幅方向全域に延びる弾性体を介在させた請求項１０記載の壁間防水構造。
【請求項１２】
前記化粧カバーを前記上下両外壁パネルの表面側との間でそれぞれシールした請求項９乃至１１のいずれかに記載の壁間防水構造。
【発明の詳細な説明】
【技術分野】
【０００１】
本発明は、建物の上側外壁パネルと下側外壁パネルとの間に形成される間隙部を防水する壁間防水構造に関する。
【背景技術】
【０００２】
外壁を構成する上側外壁パネルとその上側外壁パネルの下方に配設される下側外壁パネルとの間には、間隙部が形成される。この間隙部から雨水等の水が建物内部に浸入するのを防止するために、防水シートを含む壁間防水構造が提案されている。
【０００３】
この種の壁間防水構造において、防水シートは、その上端部が上側外壁パネルの裏面部に固定され、下端部が下側外壁パネルの表面部に貼着されている（例えば、特許文献１参照）。また、下側外壁パネルの表面部に貼着されている防水シートの屋外側にはブラケットが所定間隔をおいて取り付けられている。さらに、ブラケットの屋外側には前記間隙部及び防水シートを覆うようにして化粧カバーが取り付けられている。
【０００４】
以上の構成により、化粧カバー上端と上側外壁パネルとの間から前記間隙部に浸入してくる雨水等の水は、防水シートの屋外側を流れ落ちた後、下側外壁パネルの表面側に導かれる。また、雨水等の水が風にあおられることにより化粧カバー下端と下側外壁パネルとの間から浸入してきたとしても、結果的には防水シートの表面側において受け止められるし、防水シートと下側外壁パネルとの間は接着されているからこの部分からの水の浸入は回避される。
【０００５】
しかしながら、上記従来の壁間防水構造にあっては、下側外壁パネルと防水シートとを施工現場において接着していたため、接着作業に手間がかかるという問題がある。特に、接着不良があると下側外壁パネルと防水シートとの密着性が低くなって防水効果が低下してしまうため、防水シート下端部の接着作業は慎重に行わなければならず、施工上の難易度が高い。
【０００６】
また、下側外壁パネルと防水シートとが接着によって固定されるのであるから、防水シートにかかる荷重により接着箇所の剥がれが発生することも考えられる。防水シートにかかる荷重は防水シートの自重のみならず、防水シートにかかる風圧なども関係してくるため、無視できない。そして、防水シートと下側外壁パネルとの接着状態が不十分な状態となると、所定間隔おきに設けられたブラケットによって一応の位置決めは確保できるかもしれないが、やはり防水効果が低下してしまう。
【特許文献１】特公平６−３９８０９号公報
【発明の開示】
【発明が解決しようとする課題】
【０００７】
本発明は、建物の外壁を構成する上側外壁パネルとその上側外壁パネルの下方に配設される下側外壁パネルとの間に形成される間隙部を防水シートにて閉塞するに際して、簡単に防水構造を確保でき、さらに防水シートを安定的に支持することによって防水効果を長期にわたり維持することのできる壁間防水構造を得ることを主たる目的とする。
【課題を解決するための手段】
【０００８】
上記課題を解決するのに有効な手段につき、必要に応じて作用、効果、より踏み込んだ具体的手段等を示しつつ説明する。なお、理解を容易にするため、発明の実施の形態にお
いて対応する主要な構成を括弧書きで適宜示すが、この括弧書きで示した具体的構成に限定されない。
【０００９】
本発明における建物の外壁を構成する上側外壁パネル（上階外壁パネル１２）とその上側外壁パネルの下方に配設される下側外壁パネル（下階外壁パネル１１）との間に形成される間隙部（間隙部１７）を閉塞する壁間防水構造では、前記間隙部を閉塞する防水シート（防水シート２１）と、前記間隙部において防水シートを屋内側から支持して当該防水シートの屋内側への移動を抑制する支持手段（バックアップ金物５１）とを備えたことを特徴とする。
【００１０】
上記壁間防水構造においては、防水シートにより間隙部から雨水等の水が屋内に浸入するのを防止することができる。そして、防水シートの屋内側は支持手段によって支持されており、それ以上の屋内側への移動が抑制されている。その結果、防水シートが屋内側へ所定以上湾曲してしまうこと等がなく、防水シートを安定した状態で保持することができる。防水シートが間隙部の上下で取り付けられたものでは、当該間隙部の領域では不安定になりがちであるが、これを支持手段によって解消することができるからである。また、これにより防水シートの下端部を必ずしも接着する必要がなくなり、間隙部の防水構造を簡単に構築することができる。
【００１１】
上記支持手段は前記間隙部を閉塞する間隙閉塞部（間隙閉塞部５３）を備え、当該間隙閉塞部によって前記防水シートを支持するものであることが好ましい。これにより、間隙閉塞部によって間隙部を閉塞することで間隙部の防水効果が一層高まるし、防水シートの背面側の支持領域が間隙部全域に及ぶことになって防水シートの安定性も増す。
【００１２】
上記支持手段は前記下側外壁パネルの上面に固定される基部（基部５２）を備え、前記間隙閉塞部を当該基部の屋外側から上方へ延設することが好ましい。これにより、基部を下階外壁パネルの上面に固定することにより基部が安定する。また、間隙閉塞部を基部の屋外側から上方へ延設することにより、間隙閉塞部の下端部を下側外壁パネルの上面のうち屋外側に位置合わせすることができる。
【００１３】
この場合、前記下側外壁パネルの上面と前記基部の下面との間をシール（両面テープ５５）することが好ましい。これにより、下側外壁パネル上面と基部下面との間からの水の浸入を阻止することができる。
【００１４】
また、上記間隙閉塞部を下方ほど屋外側となる下り傾斜に形成することが好ましい。これにより、防水シートもそれに倣って屋外側への下り傾斜が維持され、間隙部に浸入しようとする雨水等の水を効率良く排出することができる。
【００１５】
前記上下両外壁パネルは外壁板（外壁板１３，１４）とその背面側に取り付けられたフレーム（フレーム１５，１６）とを備え、前記防水シートを上側外壁パネルの外壁板とフレームとの間に取り付け、前記防水シートを、その取り付け部位から前記間隙閉塞部の表面に沿って延び、さらに下側外壁パネルの外壁板の表面側に下端部が位置するよう配置することが一層好ましい。このように構成することで、防水シートは上部から下部に向けて下り傾斜となり、防水シートの上部の隙間を埋めることが容易となり、さらには防水シート表面に至った雨水等の水を下側外壁パネルの外壁板表面側へ誘導することができる。その結果、防水シートによる防水効果が高められる。そして、間隙部において当該防水シートが間隙閉塞部に沿って延びることで、防水効果の高い状態を長期に亘り維持することができる。
【００１６】
また、前記間隙閉塞部の上端部を上側外壁パネルのフレームに当接させると、間隙閉塞
部それ自体の防水効果が高められるし、間隙閉塞部の安定性が増し、ひいては防水シートの安定性が増す。
【００１７】
次いで、防水シートの下部に関しては、その下部を下側外壁パネルの表面側に配置し、前記防水シート下部の幅方向全域を前記下側外壁パネルの表面側へ押圧することにより、当該下側外壁パネルとともに前記防水シート下部の幅方向全域を挟持する押圧手段（化粧カバー２３、押圧突条４１）を備えるものであることが好ましい。
【００１８】
このように構成すれば、防水シートの下部が浮き上がることがなく、また、押圧手段と下側外壁パネルとの間から浸入しようとする雨水等の水が屋内側に入り込むことを防止することができる。しかも、押圧手段による押圧によって防水シート下部を下側外壁パネルに押し付ける構成であるから、防水シートの下部の処理に際して、施工現場においては何ら接着作業を行う必要がない。その結果、施工作業性が向上するし、接着不良による水の浸入も回避することができる。
【００１９】
ここで、上記押圧手段は上下両外壁パネル間の間隙部を屋外側から閉塞する化粧カバー（化粧カバー２３）によって構成することができる。化粧カバーによって押圧手段を構成することで、押圧専用の部材を別途設ける必要がない利点がある。
【００２０】
この場合、化粧カバーの下端部を下側外壁パネルまで延ばして防水シート下部を押圧する押圧部（押圧突条４１）を形成し、当該押圧部によって前記押圧手段を形成することが好ましい。このように構成することで、化粧カバーの形状変更のみで対応することができる。
【００２１】
また、かかる押圧部と防水シート下部との間に、防水シート下部の幅方向全域に延びる弾性体（下側シール部材４３）を介在させることが一層好ましい。こうすることで、弾性的に防水シートの下部を挟み込むことが可能となる。したがって、化粧カバーの押圧部と下側外壁パネルの表面との位置誤差や成形誤差があっても、確実に防水シート下部を挟持することができ、また長期にわたりその挟持状態を維持することができる。
【００２２】
さらに、前記化粧カバーを前記上下両外壁パネルの表面側との間でそれぞれシール（上側シール部材３８、下側シール部材４３）することが好ましい。このように構成することで、化粧カバーが一次止水手段として機能し、防止シートが二次止水手段として機能し、さらには間隙閉塞部が三次止水手段として機能することから、間隙部における防水効果が一層向上する。
【発明を実施するための最良の形態】
【００２３】
以下に、発明を具体化した一実施形態について図面を参照しつつ説明する。なお、図１は上下外壁パネル間の構造を示す縦断面図、図２は同構造を示す分解斜視図である。
【００２４】
本実施形態における建物では、下階に下階外壁パネル１１が配設されるとともに、上階に上階外壁パネル１２が配設されて、外壁の一部が構成されている。上下両外壁パネル１１，１２は、いずれも建物外部に露出する外壁板１３，１４とその背面側に取り付けられた金属製のフレーム１５，１６とから構成されている。各外壁板１３，１４は、建物の外観を決定付けるものであって意匠性を高めるべく表面に例えば凹凸模様等が施され、かつ耐候性に優れたコンクリートやセラミック等の素材で形成されている。
【００２５】
下階外壁パネル１１と上階外壁パネル１２は、下階建物ユニットＸと上階建物ユニットＹにそれぞれ取り付けられている。すなわち、本実施形態の建物は、下階建物ユニットＸと上階建物ユニットＹとを含む複数の建物ユニットにより構成されるユニット建物である
。なお、上下両建物ユニットＸ，Ｙの詳細説明は省略するが、これらの上下境界部位は一点鎖線で示されているとおりである。そして、下階建物ユニットＸの上方に上階建物ユニットＹを設置した状態では、上階外壁パネル１２の下端部と下階外壁パネル１１の上端部との間に、間隙部１７が形成されている。間隙部１７には、雨水等の水が建物内部に浸入することを防止するために、防水処理が施されている。
【００２６】
そこで、以下に、間隙部１７の防水構造について説明する。
【００２７】
上階外壁パネル１２のうち上階外壁板１４の下端部背面側には、防水シート２１の上端部が予め接着固定されている。本実施形態ではさらに当該防水シート２１の上端部が上階フレーム１６にも接着固定されている。防水シート２１は、上階外壁パネル１２の下端部に沿った横長状とされ、柔軟性を有する。一方、防水シート２１の下端部は、下階外壁パネル１１の外壁板１３表面上に垂下されている。したがって、防水シート２１により、上階外壁パネル１２と下階外壁パネル１１との間に形成される間隙部１７が閉塞されている。
【００２８】
防水シート２１よりも屋外側には、ブラケット２２が取り付けられている。ブラケット２２は胴差としての化粧カバー２３を支持するものであり、間隙部１７の延びる方向、すなわち水平方向に所定間隔（例えば１ｍ間隔）をおいて複数設けられている。
【００２９】
ブラケット２２は金属製であり、四角筒状の本体部２５を備えている。本体部２５は、その前面２６及び背面２７が平板状に形成されるとともに、それらを連結する両端部の奥行き寸法が短く形成され、全体として薄型四角筒状とされている。本体部２５の下部には前後方向に貫通するビス孔２８が複数形成されている。そして、ビス２９が各ビス孔２８に通されるとともに下階外壁板１３及び下階フレーム１５にねじ込まれることにより、ブラケット２２が下階外壁パネル１１の外壁板１３表面に取り付けられている。この取付状態において、ブラケット２２の上端位置は、上階外壁パネル１２の下端位置とほぼ同一位置に配置されている。
【００３０】
ブラケット２２の背面側には、前記防水シート２１の下端部が配設されている。したがって、防水シート２１は、ブラケット２２の背面２７と下階外壁板１３の前面との間に挟み込まれ、かつビス２９が貫通された状態となっている。また、防水シート２１は、ブラケット２２の下端よりもさらに下方に延びている。
【００３１】
ブラケット２２の前面２６上部には、金属製のフック３１が一体に設けられている。フック３１は前方へ延び、その先端部がさらに上方へ折り曲げられて形成されており、フック３１の特に上方への起立部位は基端側（下端側）を起点として先端側（上端側）ほど前後への移動量の大きな板バネとして機能する。
【００３２】
上記各ブラケット２２には、前記化粧カバー２３が取り付けられている。すなわち、化粧カバー２３の前面側（表面側）は化粧面３３とされ、建物の外観にあわせた化粧が施されている。一方、化粧カバー２３の背面側の上部には、下方へ垂下された係合突条３５が一体形成されている。係合突条３５は化粧カバー２３の長手方向全域にわたり形成されている。
【００３３】
化粧カバー２３の背面上端から係合突条３５の先端（下端）にかけては平坦面３６が形成されている。平坦面３６はブラケット２２の前面２６に当接されており、この状態で、フック３１が係合突条３５に係合されている。より詳細には、係合突条３５がブラケット２２の前面２６とフック３１とに挟み込まれた状態となっている。
【００３４】
また、平坦面３６の上端部付近は、上階外壁パネル１２の上階外壁板１４と対峙しており、それらの間には長尺状に延びる上側シール部材３８が配設されている。したがって、化粧カバー２３の上端部と上階外壁板１４下端部との間は、上側シール部材３８によってシールされている。なお、上側シール部材３８は上階外壁パネル１２の上階外壁板１４下端部に工場において予め貼り付けられたものであることが好ましい。
【００３５】
化粧カバー２３の下端部はブラケット２２の下端部より下方にまで延びている。化粧カバー２３の下端部からは後方へ突出する押圧突条４１が一体形成されている。押圧突条４１はブラケット２２の下方位置にまで突出され、また、化粧カバー２３の長手方向全域にわたり形成されている。押圧突条４１にはＥＰＤＭ等からなるゴム製の下側シール部材４３が接着剤や両面テープ等により仮固定されている。この固定は工場において予めなされている。そして、押圧突条４１により下側シール部材４３を介して防水シート２１の下端部が下階外壁板１３側へ押圧された状態とされ、防水シート２１は下側シール部材４３の弾力に基づき弾性的に挟持されている。これにより、防水シート２１の下端部がシールされている。
【００３６】
さて、本実施形態においては、前記防水シート２１を背面側から支時するバックアップ金物５１を有している点に大きな特徴がある。そこで、バックアップ金物５１の構成について説明する。
【００３７】
バックアップ金物５１は、鉄等の硬質金属からなり、間隙部１７に沿った長尺状に形成されている。バックアップ金物５１は板面を上下に向けた基部５２を備えている。基部５２は下階外壁板１３の厚さよりも若干幅広に形成されている。基部５２はその屋外側先端位置を概ね下階外壁板１３の表面に位置合わせした状態で、下階外壁板１３の上端面に両面テープ５５で貼着固定されている。両面テープ５５は基材にブチルゴム系の感圧粘着剤を塗布してなる防水テープであり、防水性能及び耐候性能の面で優れている。したがって、下階外壁板１３の上端面と基部５２との間は、気密状態とされて雨水等の水の浸入が阻止され、しかもこの状態が長期にわたり維持されるようになっている。
【００３８】
バックアップ金物５１は、基部５２の屋外側端部から上方へ起立するように折り曲げられて形成された間隙閉塞部５３を有している。間隙閉塞部５３はその下端部から真上へ延び、そこから上階外壁パネル１２へ向け若干屋内側へ傾斜された状態で真っ直ぐに延びるように形成されている。そして、間隙閉塞部５３の上端は、上階フレーム１６のうち上階外壁板１４に対峙するフレーム部であって当該上階外壁板１４の下端部より下方に突出された部位に当接されている。
【００３９】
バックアップ金物５１は、基部５２の屋内側端部から下方へ垂下するように折り曲げられて形成された取付部５４を有する。取付部５４は、下階フレーム１５のうち下階外壁板１３に対峙するフレーム部に対し、屋内側からビス５６によって固定されている。なお、ビス５６は下階外壁板１３の中途位置まで延びている。
【００４０】
このように、バックアップ金物５１は、基部５２と下階外壁板１３との間が両面テープ５５によってシールされた状態に保持され、当該基部５２から連続して延びる間隙閉塞部５３によって間隙部１７が閉塞され、さらに間隙閉塞部５３の上端が上階外壁パネル１２のフレーム１６に当接されている。したがって、防水シート２１の屋内側においても、バックアップ金物５１による間隙部１７全体の防水が概ね実現されている。すなわち、バックアップ金物５１の間隙閉塞部５３の上端では完全な防水はなされていないものの、その他の部位からの水の浸入は確実に阻止されている。
【００４１】
また、バックアップ金物５１と前記防水シート２１との関係をみると、防水シート２１
は、上記のとおり上階外壁板１４の背面側に取り付けられているが、そこから間隙閉塞部５３の表面に沿うように当接され、間隙閉塞部５３の傾斜により下階外壁板１３の表面へ斜めに案内され、そこからは下階外壁板１３の表面に沿って垂下された状態とされている。したがって、防水シート２１は間隙部１７の領域においては間隙閉塞部５３に当接されてそれ以上の屋内側への移動が阻止されている。また、間隙閉塞部５３が上端から下端へ向けて屋外側へ傾斜されていることから、間隙部１７の領域においては防水シート２１を屋外側への下り傾斜状態に維持している。なお、上述のとおり、下階外壁板１３の表面に沿って垂下された防水シート２１の下端部は、各ブラケット２２によりビス２９止めされるとともに、押圧突条４１及び下側シール部材４３により下階外壁板１３側に押圧されてシールされている。
【００４２】
このように構成された防水構造は、次の順序で施工されることにより実現される。
【００４３】
まず、工場では、下階外壁パネル１１及び上階外壁パネル１２が予め製造され、本実施形態ではさらにこれらが下階建物ユニットＸ及び上階建物ユニットＹに予め取り付けられた状態とされる。また、防水シート２１は上階外壁パネル１２に接着固定されており、上側シール部材３８も予め上階外壁板１４の下端部に接着固定されている。なお、上側シール部材３８は化粧カバー２３側へ予め取り付けられていてもよい。さらに、化粧カバー２３の押圧突条４１に下側シール部材４３が予め接着等により固定されている。一方、ブラケット２２及び化粧カバー２３は未だ取り付けられていない状態とされる。また、バックアップ金物５１も下階外壁パネル１１に取り付けられていない状態とされる。
【００４４】
建物の施工現場では、図示しない基礎の上に下階建物ユニットＸがまず設置され、その後、その下階建物ユニットＸの上に上階建物ユニットＹが設置される。これら両建物ユニットＸ，Ｙの設置作業により、上下両外壁パネル１１，１２間に間隙部１７が形成される。
【００４５】
次いで、バックアップ金物５１を取り付ける作業を行う。すなわち、まず両面テープ５５を下階外壁板１３の上端面に貼り付ける。その貼り付け作業後、間隙部１７の屋外側からバックアップ金物５１を取付位置へ配置させる。この配置作業は、間隙閉塞部５３の上端側を屋外側へ傾けた姿勢で、基部５２と間隙閉塞部５３とのコーナ部を下階外壁板１３の上端面における屋外側端部に位置合わせし、そのコーナ部を支点として基部５２を両面テープ５５上に載せるように回動させることによって行われる。なお、最終的に図１及び図２のような配置となればよいのであって他の配置手法を採用してもよいし、両面テープ５５を基部５２の底面に貼り付けておくのも可能である。その後、取付部５４を下階外壁パネル１１にビス５６止めすることにより、バックアップ金物５１の取り付け作業が終了する。
【００４６】
ここで、防水シート２１の下端側を上階外壁板１４表面に工場等にて仮止めしておけば、前記バックアップ金物５１の取り付け作業を円滑に行うことができる。そして、この場合にあっては、バックアップ金物５１の取り付け作業修了後に、その仮止めを外すことで、防水シート２１をバックアップ金物５１の間隙閉塞部５３の表面に沿わせ、かつ防水シート２１の下端側を下階外壁板１３の前面側に配置させることができる。
【００４７】
次いで、下階外壁板１３の前面側にブラケット２２を取り付ける。ブラケット２２は所定間隔おきにビス２９止めすることにより取り付けられる。このビス２９止めの際、ビス２９によりブラケット２２とともに防水シート２１も一緒に固定する。ここで、防水シート２１はバックアップ金物５１によってその背面が受け止められており、防水シート２１下端部が下階外壁板１３前面に配置されているため、防水シート２１の取付作業はきわめて簡単である。そして、ブラケット２２の取付作業によって、防水シート２１はブラケッ
ト２２により所定間隔おきに固定される。但し、この時点において、防水シート２１は隣接するブラケット２２間では何ら固定されていない。
【００４８】
その後、各ブラケット２２に、化粧カバー２３を取り付ける。具体的には、化粧カバー２３を各ブラケット２２の斜め上方から近づけ、フック３１に係合突条３５を嵌め込む。この際、係合突条３５の背面側は平坦面３６とされているため、フック３１に対する係合突条３５の取り付けに伴い、化粧カバー２３の平坦面３６がブラケット２２の前面２６に当接された状態となる。また、この際、上側シール部材３８が化粧カバー２３の平坦面３６と上階外壁パネル１２の外壁板１４前面とで挟持された状態とされ、化粧カバー２３と上階外壁パネル１２の外壁板１４との間がシールされる。
【００４９】
さらに、化粧カバー２３には予め押圧突条４１に下側シール部材４３が接着等により固定されていることで、化粧カバー２３のブラケット２２への取り付けに伴い、押圧突条４１が下側シール部材４３を介して防水シート２１の下端部を押圧することになる。一方、防水シート２１の下端部は背面側が下階外壁板１３により受けられている。したがって、化粧カバー２３のブラケット２２への取り付けに伴い、防水シート２１は化粧カバー２３の押圧突条４１によって背面側が下階外壁板１３側に押し付けられ、両者間に防水シート２１が水平方向全域で挟持されることになる。また、押圧突条４１の先端側には下側シール部材４３が設けられているため、防水シート２１は弾力的に挟持されることになる。
【００５０】
以上説明した壁間防水構造、その防水構造を採用した建物、及び上記の施工方法によれば、以下に示す有利な効果が得られる。
【００５１】
上下両外壁パネル１１，１２間の間隙部１７には、最前面部に化粧カバー２３が配設され、その背面側では防水シート２１が配設されていることから、化粧カバー２３が一次止水手段として機能し、防水シート２１が二次止水手段として機能し、さらにはバックアップ金物５１が三次止水手段として機能し、間隙部１７を介して屋内側へ浸入しようとする雨水等の水を遮断することができる。
【００５２】
すなわち、一次止水手段としての化粧カバー２３に関しては、その背面側上端部と上階外壁板１４の下端部との間をシールする上側シール部材３８が介在されているので、化粧カバー２３と上階外壁板１４との間からの水の浸入はここで極力遮断することができる。また、化粧カバー２３の背面側下端部には押圧突条４１が下側シール部材４３を介して下階外壁板１３側に押圧された状態に維持されることから、化粧カバー２３と下階外壁板１３との間からの水の浸入はここで極力遮断することができる。
【００５３】
また、二次止水手段としての防水シート２１に関しては、その上端側が上階外壁パネル１２の外壁板１４背面側に接着固定され、そこから下階外壁パネル１１の外壁板１３前面側に延びている。そのため、万一、化粧カバー２３と上階外壁板１４との間から水が進入してきても、防水シート２１の前面側でその水を受け止めることができ、かつ下階外壁パネル１１の外壁板１３前面側へと排出することができる。
【００５４】
さらに、二次止水手段としての防水シート２１の下端側においては、防水シート２１を下階外壁板１３と化粧カバー２３の押圧突条４１（より詳細には下側シール部材４３）とによって挟み込んで、水平方向全域を圧着している。そのため、防水シート２１の下端部が浮き上がることがなく、化粧カバー２３と下階外壁板１３との間から浸入しようとする水が屋内側に入り込むことを防止することができる。
【００５５】
特に、押圧突条４１は化粧カバー２３と一体であるためある程度硬質の樹脂製であるが、下側シール部材４３を介在させていることにより、弾性的に防水シート２１の下端部を
挟み込むことが可能となる。したがって、化粧カバー２３と下階外壁板１３との位置誤差や成形誤差があっても、確実に防水シート２１の圧着状態を実現でき、また長期にわたりその圧着状態を維持することができる。
【００５６】
そして、このような防水シート２１の下端部の処理に際して、施工現場においては、何ら接着作業を行う必要がない。その結果、施工作業性が向上するし、接着不良による水の浸入も回避することができる。
【００５７】
また、三次止水手段としてのバックアップ金物５１に関しては、基部５２と下階外壁板１３との間が両面テープ５５によってシールされた状態に保持され、当該基部５２から連続して延びる間隙閉塞部５３によって間隙部１７が閉塞され、さらに間隙閉塞部５３の上端が上階外壁パネル１２のフレーム１６に当接されている。したがって、バックアップ金物５１によって、間隙部１７全体を概ね防水状態とすることができる。すなわち、バックアップ金物５１の間隙閉塞部５３上端では完全な防水はなされていないが、その他の部位からの水の浸入は阻止することができる。
【００５８】
また、防水シート２１は、間隙部１７の領域においてはバックアップ金物５１の間隙閉塞部５３に当接されてそれ以上の屋内側への移動が阻止されている。したがって、防水シート２１の間隙部１７の領域での位置が安定し、防水シート２１自身の自重によって下に凸となるような撓みが発生しない。そして、風圧等の負荷が屋外側から作用しても、防水シート２１の安定した状態が保持されるから、間隙部１７における防水性能を長期にわたり維持することができる。
【００５９】
さらに、防水シート２１はバックアップ金物５１により、間隙部１７の領域において下方ほど屋外側となる下り傾斜とされて、しかもそれが直線的な下り傾斜となっているので、防水シート２１に至った雨水等の水を下階外壁板１３の表面へ効率良く誘導することができて、水が防水シート２１表面にとどまらない利点もある。
【００６０】
特に、バックアップ金物５１の間隙閉塞部５３が下階外壁板１３の上端面から上階フレーム１６に当接される位置まで延びるので、防水シート２１の安定性を間隙部１７の全域に亘って保持することができる。
【００６１】
さらにまた、万一、下方から吹き上げる風にのって防水シート２１下端部と下階外壁板１３表面との間から雨水等の水が浸入することがあったとしても、下階外壁板１３の上端面と基部５２との間がシールされているからそれらの間からは水が屋内側に浸入することがないし、それより上方へ水が移動しようとしても間隙部１７を閉塞すべく起立した状態の間隙閉塞部５３によってある程度以上の水の上方への移動が困難となり、屋内側への水の浸入が阻止される。
【００６２】
なお、以上説明した実施形態に限らず、例えば以下に別例として示した形態で実施することもできる。
【００６３】
・上記実施形態では、下階外壁パネル１１と上階外壁パネル１２との間に形成される間隙部１７についての壁間防水構造について例示したが、切妻屋根を備えた建物において矩形状の外壁パネルと三角形状の妻壁パネルとの間に形成される間隙部に上記壁間防水構造を適用してもよい。
【００６４】
・上記実施形態では、ブラケット２２を下階外壁パネル１１にビス２９止めするように構成したが、上階外壁パネル１２に取り付け、または上下両外壁パネル１１，１２に取り付けるように構成してもよい。
【００６５】
・上記実施形態では、上下両外壁パネル１１，１２を建物ユニットＸ，Ｙに予め取り付けたユニット建物について説明したが、建物ユニットを使用しない建物に対しても適用することができる。
【００６６】
・上記実施形態では、防水シート２１の上端部を上階外壁板１４と上階フレーム１６とにそれぞれ接着したが、いずれか一方にのみ接着するものであってもよい。また、接着に代えて、ビス止め等により取り付けてもよい。
【００６７】
・上記実施形態では、化粧カバー２３下端部の押圧突条４１、より詳細には下側シール部材４３によって防水シート２１の下端部を下階外壁板１３の表面側へ押圧し、防水シート２１下端部の幅方向全域を挟み込むように構成したが、必ずしもそのように構成しなくてもよい。すなわち、上記実施形態では、バックアップ金物５１によって防水シート２１が安定した状態で保持されており、かつ防水シート２１下端から雨水等の水が浸入しようとしても、上述のとおりこれを遮断する機能を有するため、化粧カバー２３による押圧は必須ではない。
【００６８】
・上記実施形態では、バックアップ金物５１の間隙閉塞部５３を平面状に形成したが、その下側ほど屋外側となる下り傾斜であれば曲面状に形成したものでもよい。また、基部５２を下階外壁板１３の上端面に載置しかつ貼り付けるように構成したが、下階外壁板１３の表面側にシールされた状態で固定するように構成してもよい。さらに、間隙閉塞部５３の上端を上階フレーム１６に当接させた例を示したが、この当接部をシール材によってシールすることでバックアップ金物５１による間隙部１７の防水効果を高めることも可能である。さらにまた、防水シート２１の下端部が押圧突条４１からの押圧等により下階外壁板１３との間で挟み込んでシールする前提であれば、バックアップ金物５１の間隙閉塞部５３は少なくとも防水シート２１の裏面で屋内側への移動を阻止するように支持する機能さえあればよく、間隙部１７全域を閉塞する板材によって構成する必要はなく、網状のもの等を配置することも可能である。
【図面の簡単な説明】
【００６９】
【図１】本実施形態における上下両外壁パネル間の構造を示す縦断面図。
【図２】同構造の分解斜視図。
【符号の説明】
【００７０】
１１…下側外壁パネルとしての下階外壁パネル、１２…上側外壁パネルとしての上階外壁パネル、１３…下階外壁板、１４…上階外壁板、１５…下階フレーム、１６…上階フレーム、１７…間隙部、２１…防水シート、２２…ブラケット、２３…押圧手段としての化粧カバー、２９…締結手段としてのビス、３１…フック、３５…係合部としての係合突条、３８…上側シール部材、４１…押圧手段，押圧部としての押圧突条、４３…弾性体としての下側シール部材、５１…支持手段としてのバックアップ金物、５２…基部、５３…支持手段としての間隙閉塞部、５４…取付部、５５…シールを構成する両面テープ、５６…締結手段としてのビス、Ｘ…下階建物ユニット、Ｙ…上階建物ユニット。
【図１】
2007205086.tif 000003
【図２】
2007205086.tif 000004